(57)【特許請求の範囲】
【請求項１】
基地局（ＢＳ）によるワイヤレス通信のための方法であって、
１つまたは複数のサブフレーム内の第１の数のシンボルにわたる第１のコードシーケンスと前記第１のコードシーケンスに適用されるカバーコードとを利用して１次同期信号（ＰＳＳ）を生成することと、ここにおいて、前記カバーコードが、非対称ランレングスを有するバイナリシーケンスを備える、
より広いキャリア帯域幅に対する１つまたは複数の狭帯域キャリア領域上で通信する第１のタイプのユーザ機器（ＵＥ）に前記ＰＳＳを送信することとを備える、方法。
【請求項２】
前記第１のコードシーケンスが、コンピュータ生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、請求項１に記載の方法。
【請求項３】
１つまたは複数のサブフレーム内の第２の数のシンボルにわたる第２のコードシーケンスに基づいて２次同期信号（ＳＳＳ）を生成することと、
前記第１のタイプの前記ＵＥに前記ＳＳＳを送信することとをさらに備える、請求項１に記載の方法。
【請求項４】
ＰＳＳとＳＳＳとが、重複しないリソースを使用して送信される、請求項３に記載の方法。
【請求項５】
ＰＳＳとＳＳＳとが別個のサブフレーム中で送信される、請求項４に記載の方法。
【請求項６】
前記第１の数のシンボルが、前記より広いキャリア帯域幅上で通信する第２のタイプのＵＥと通信するために使用されるリソース要素と同じサブキャリア間隔を有するリソース要素にマッピングされる、請求項３に記載の方法。
【請求項７】
前記ＰＳＳと前記ＳＳＳとが、前記第２のタイプのＵＥと通信するために使用されないリソース要素を使用して送信される、請求項６に記載の方法。
【請求項８】
前記第１の数のシンボルが第１のサブフレーム内にあり、
前記第２の数のシンボルが第２のサブフレーム内にある、請求項３に記載の方法。
【請求項９】
前記ＰＳＳと前記ＳＳＳとを送信することが、前記第１のサブフレームと前記第２のサブフレームとのうちの少なくとも１つ内でＰＳＳシーケンスとＳＳＳシーケンスとを時間多重化することを備え、ここにおいて、前記ＰＳＳと前記ＳＳＳとが、少なくとも１つのサブフレームを用いて異なる直交周波数分割多重（ＯＦＤＭ）シンボルロケーションを占有する、請求項８に記載の方法。
【請求項１０】
前記第２のコードシーケンスが、Ｚａｄｏｆｆ−Ｃｈｕシーケンス、短縮されたＺａｄｏｆｆ−Ｃｈｕシーケンス、またはコンピュータ生成ポリフェーズシーケンスを備える、請求項３に記載の方法。
【請求項１１】
前記ＳＳＳが、セル識別情報（セルＩＤ）と追加のシステム情報とを伝達するために使用される、請求項３に記載の方法。
【請求項１２】
前記追加のシステム情報が少なくともサブフレームＩＤを備える、請求項１１に記載の方法。
【請求項１３】
第１のタイプのユーザ機器（ＵＥ）によるワイヤレス通信のための方法であって、
より広いキャリア帯域幅に対する１つまたは複数の狭帯域キャリア領域内で、１つまたは複数のサブフレーム内の第１の数のシンボルにわたる第１のコードシーケンスと前記第１のコードシーケンスに適用されるカバーコードとを利用して生成された１次同期信号（ＰＳＳ）を検出することと、ここにおいて、前記カバーコードが、非対称ランレングスを有するバイナリシーケンスを備える、
前記ＰＳＳに基づいて時間同期と周波数同期とを実行することとを備える、方法。
【請求項１４】
前記周波数同期を実行することが、
時間同期されたＰＳＳの時間領域における自己相関に基づいて、または複数の仮説検定および周波数ビニングに基づいて、前記ＰＳＳから、小数周波数オフセット補正を実行することと、
前記ＰＳＳと受信された信号のローカルレプリカ（local replica）との間の周波数領域における相互相関に基づいて、前記ＰＳＳから、整数周波数オフセット補正を実行することとを備える、請求項１３に記載の方法。
【請求項１５】
前記第１のコードシーケンスが、生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、請求項１３に記載の方法。
【請求項１６】
前記ＰＳＳに基づいて最尤時間オフセット推定を実行することと、ここにおいて、時間オフセットが周波数オフセットと無相関である、
前記１つまたは複数の狭帯域キャリア領域内で、前記１つまたは複数のサブフレーム内の第２の数のシンボルにわたる第２のコードシーケンスに基づいて生成された２次同期信号（ＳＳＳ）を検出することと、
前記時間同期と前記周波数同期とを改良するために、前記ＳＳＳに基づいて高精度時間同期または高精度周波数同期のうちの少なくとも１つを実行することとをさらに備える、請求項１３に記載の方法。
【請求項１７】
ＰＳＳとＳＳＳとが、重複しないリソース中で検出される、請求項１６に記載の方法。
【請求項１８】
ＰＳＳとＳＳＳとが別個のサブフレーム中で検出される、請求項１７に記載の方法。
【請求項１９】
前記高精度時間同期を実行することが、前記ＳＳＳ上で時間領域における相互相関を実行することを備える、請求項１６に記載の方法。
【請求項２０】
前記第１の数のシンボルが、前記より広いキャリア帯域幅上で通信する第２のタイプのＵＥと通信するために使用されるリソース要素と同じサブキャリア間隔を有するリソース要素にマッピングされる、請求項１６に記載の方法。
【請求項２１】
前記ＰＳＳと前記ＳＳＳとが、前記第２のタイプのＵＥと通信するために使用されないリソース要素を使用して送信される、請求項２０に記載の方法。
【請求項２２】
前記第１の数のシンボルが第１のサブフレーム内にあり、
前記第２の数のシンボルが第２のサブフレーム内にある、請求項１６に記載の方法。
【請求項２３】
前記第２のコードシーケンスが、Ｚａｄｏｆｆ−Ｃｈｕシーケンス、コンピュータ生成ポリフェーズシーケンス、または短縮されたＺａｄｏｆｆ−Ｃｈｕシーケンスを備える、請求項１６に記載の方法。
【請求項２４】
前記ＳＳＳから、セル識別情報（セルＩＤ）と追加のシステム情報とを決定することをさらに備える、請求項１６に記載の方法。
【請求項２５】
前記追加のシステム情報が少なくともサブフレームＩＤを備える、請求項２４に記載の方法。
【請求項２６】
前記高精度時間同期を実行することは、
前記カバーコードのパターンに従ってすべてのコフェージングされたシンボルペアをコヒーレントに組み合わせることによって最尤（ＭＬ）推定に基づいてタイミングオフセット補正を実行することと、ここにおいて、前記組み合わせることの範囲が、前記１つまたは複数のサブフレームにわたってスパンする、
信号対雑音比（ＳＮＲ）レベルに対する感度を低減するために、ＰＳＳシーケンスの電力によってコスト関数を正規化することとを備える、請求項１６に記載の方法。
【請求項２７】
前記コフェージングされたシンボルペアを前記組み合わせることは、
前記ＰＳＳの遅延したサンプル間の自己相関を実行すること、ここにおいて、前記遅延したサンプルのラグサイズが、ＰＳＳ時間領域リソース割振りに基づく構成可能パラメータである、を備える、請求項２６に記載の方法。
【請求項２８】
前記カバーコードのパターンが、前記タイミングオフセットの前記ＭＬ推定を所望の形式に整形するように選択される、請求項２６に記載の方法。
【請求項２９】
１つまたは複数のサブフレーム内の第１の数のシンボルにわたる第１のコードシーケンスと前記第１のコードシーケンスに適用されるカバーコードとを利用して１次同期信号（ＰＳＳ）を生成するように構成された少なくとも１つのプロセッサと、ここにおいて、前記カバーコードが、非対称ランレングスを有するバイナリシーケンスを備える、
より広いキャリア帯域幅に対する１つまたは複数の狭帯域キャリア領域上で通信する第１のタイプのユーザ機器（ＵＥ）に前記ＰＳＳを送信するように構成された送信機とを備える、ワイヤレス通信のための装置。
【請求項３０】
前記第１のコードシーケンスが、コンピュータ生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、請求項２９に記載の装置。
【請求項３１】
前記少なくとも１つのプロセッサが、１つまたは複数のサブフレーム内の第２の数のシンボルにわたる第２のコードシーケンスに基づいて２次同期信号（ＳＳＳ）を生成するように構成され、
前記送信機が、前記第１のタイプの前記ＵＥに前記ＳＳＳを送信するように構成された、請求項２９に記載の装置。
【請求項３２】
ＰＳＳとＳＳＳとが、重複しないリソースを使用して送信される、請求項３１に記載の装置。
【請求項３３】
ＰＳＳとＳＳＳとが別個のサブフレーム中で送信される、請求項３２に記載の装置。
【請求項３４】
前記第１の数のシンボルが、前記より広いキャリア帯域幅上で通信する第２のタイプのＵＥと通信するために使用されるリソース要素と同じサブキャリア間隔を有するリソース要素にマッピングされる、請求項３１に記載の装置。
【請求項３５】
前記ＰＳＳと前記ＳＳＳとが、前記第２のタイプのＵＥと通信するために使用されないリソース要素を使用して送信される、請求項３４に記載の装置。
【請求項３６】
前記第１の数のシンボルが第１のサブフレーム内にあり、
前記第２の数のシンボルが第２のサブフレーム内にある、請求項３１に記載の装置。
【請求項３７】
前記ＰＳＳと前記ＳＳＳとを送信することが、第１のサブフレームと第２のサブフレームとのうちの少なくとも１つ内でＰＳＳシーケンスとＳＳＳシーケンスとを時間多重化することを備え、ここにおいて、前記ＰＳＳと前記ＳＳＳとが、少なくとも１つのサブフレームを用いて異なる直交周波数分割多重（ＯＦＤＭ）シンボルロケーションを占有する、請求項３６に記載の装置。
【請求項３８】
前記第２のコードシーケンスが、Ｚａｄｏｆｆ−Ｃｈｕシーケンス、短縮されたＺａｄｏｆｆ−Ｃｈｕシーケンス、またはコンピュータ生成ポリフェーズシーケンスを備える、請求項３１に記載の装置。
【請求項３９】
前記ＳＳＳが、セル識別情報（セルＩＤ）と追加のシステム情報とを伝達するために使用される、請求項３１に記載の装置。
【請求項４０】
前記追加のシステム情報が少なくともサブフレームＩＤを備える、請求項３９に記載の装置。
【請求項４１】
より広いキャリア帯域幅に対する１つまたは複数の狭帯域キャリア領域内で、１つまたは複数のサブフレーム内の第１の数のシンボルにわたる第１のコードシーケンスと前記第１のコードシーケンスに適用されるカバーコードとを利用して生成された１次同期信号（ＰＳＳ）を検出することと、ここにおいて、前記カバーコードが、非対称ランレングスを有するバイナリシーケンスを備え、前記ＰＳＳに基づいて時間同期と周波数同期とを実行することとを行うように構成された少なくとも１つのプロセッサと、
前記少なくとも１つのプロセッサと結合されたメモリとを備える、ワイヤレス通信のための装置。
【請求項４２】
前記少なくとも１つのプロセッサが、
時間同期されたＰＳＳの時間領域における自己相関に基づいて、または複数の仮説検定および周波数ビニングに基づいて、前記ＰＳＳから、小数周波数オフセット補正を実行することと、
前記ＰＳＳと受信された信号のローカルレプリカとの間の周波数領域における相互相関に基づいて、前記ＰＳＳから、整数周波数オフセット補正を実行することとによって前記周波数同期を実行するように構成された、請求項４１に記載の装置。
【請求項４３】
前記第１のコードシーケンスが、生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、請求項４１に記載の装置。
【請求項４４】
前記少なくとも１つのプロセッサが、
前記ＰＳＳに基づいて最尤時間オフセット推定を実行することと、ここにおいて、時間オフセットが周波数オフセットと無相関である、
前記１つまたは複数の狭帯域キャリア領域内で、前記１つまたは複数のサブフレーム内の第２の数のシンボルにわたる第２のコードシーケンスに基づいて生成された２次同期信号（ＳＳＳ）を検出することと、
前記時間同期と前記周波数同期とを改良するために、前記ＳＳＳに基づいて高精度時間同期または高精度周波数同期のうちの少なくとも１つを実行することとを行うように構成された、請求項４１に記載の装置。
【請求項４５】
ＰＳＳとＳＳＳとが、重複しないリソース中で検出される、請求項４４に記載の装置。
【請求項４６】
ＰＳＳとＳＳＳとが別個のサブフレーム中で検出される、請求項４５に記載の装置。
【請求項４７】
前記少なくとも１つのプロセッサが、前記ＳＳＳ上で時間領域における相互相関を実行することによって前記高精度時間同期を実行するように構成された、請求項４４に記載の装置。
【請求項４８】
前記第１の数のシンボルが、前記より広いキャリア帯域幅上で通信する第２のタイプのＵＥと通信するために使用されるリソース要素と同じサブキャリア間隔を有するリソース要素にマッピングされる、請求項４４に記載の装置。
【請求項４９】
前記ＰＳＳと前記ＳＳＳとが、前記第２のタイプのＵＥと通信するために使用されないリソース要素を使用して送信される、請求項４８に記載の装置。
【請求項５０】
前記第１の数のシンボルが第１のサブフレーム内にあり、
前記第２の数のシンボルが第２のサブフレーム内にある、請求項４４に記載の装置。
【請求項５１】
前記第２のコードシーケンスが、Ｚａｄｏｆｆ−Ｃｈｕシーケンス、コンピュータ生成ポリフェーズシーケンス、または短縮されたＺａｄｏｆｆ−Ｃｈｕシーケンスを備える、請求項４４に記載の装置。
【請求項５２】
前記少なくとも１つのプロセッサは、
前記カバーコードのパターンに従ってすべてのコフェージングされたシンボルペアをコヒーレントに組み合わせることによって最尤（ＭＬ）推定に基づいてタイミングオフセット補正を実行することと、ここにおいて、前記組み合わせることの範囲が、前記１つまたは複数のサブフレームにわたってスパンする、
信号対雑音比（ＳＮＲ）レベルに対する感度を低減するために、ＰＳＳシーケンスの電力によってコスト関数を正規化することとによって前記高精度時間同期を実行するように構成された、請求項５１に記載の装置。
【請求項５３】
前記コフェージングされたシンボルペアを前記組み合わせることは、
前記ＰＳＳの遅延したサンプル間の自己相関を実行すること、ここにおいて、前記遅延したサンプルのラグサイズが、ＰＳＳ時間領域リソース割振りに基づく構成可能パラメータである、を備える、請求項５２に記載の装置。
【請求項５４】
前記カバーコードのパターンが、前記タイミングオフセットの前記ＭＬ推定を所望の形式に整形するように選択される、請求項５２に記載の装置。
【請求項５５】
前記少なくとも１つのプロセッサが、前記ＳＳＳから、セル識別情報（セルＩＤ）と追加のシステム情報とを決定するようにさらに構成された、請求項４４に記載の装置。
【請求項５６】
前記追加のシステム情報が少なくともサブフレームＩＤを備える、請求項５５に記載の装置。
【請求項５７】
１つまたは複数のサブフレーム内の第１の数のシンボルにわたる第１のコードシーケンスと前記第１のコードシーケンスに適用されるカバーコードとを利用して１次同期信号（ＰＳＳ）を生成することと、ここにおいて、前記カバーコードが、非対称ランレングスを有するバイナリシーケンスを備える、
より広いキャリア帯域幅に対する１つまたは複数の狭帯域キャリア領域上で通信する第１のタイプのユーザ機器（ＵＥ）に前記ＰＳＳを送信することとを行うための命令を記憶した非一時的コンピュータ可読媒体。
【請求項５８】
より広いキャリア帯域幅に対する１つまたは複数の狭帯域キャリア領域内で、１つまたは複数のサブフレーム内の第１の数のシンボルにわたる第１のコードシーケンスと前記第１のコードシーケンスに適用されるカバーコードとを利用して生成された１次同期信号（ＰＳＳ）を検出することと、ここにおいて、前記カバーコードが、非対称ランレングスを有するバイナリシーケンスを備える、
前記ＰＳＳに基づいて時間同期と周波数同期とを実行することとを行うための命令を記憶した非一時的コンピュータ可読媒体。
【請求項５９】
前記バイナリシーケンスは、１および−１の非対称ランレングスを有する、請求項１に記載の方法。
【請求項６０】
前記バイナリシーケンスは、１および−１の非対称ランレングスを有する、請求項１３に記載の方法。
【請求項６１】
前記バイナリシーケンスは、１および−１の非対称ランレングスを有する、請求項２９に記載の装置。
【請求項６２】
前記バイナリシーケンスは、１および−１の非対称ランレングスを有する、請求項４１に記載の装置。
【請求項６３】
前記バイナリシーケンスは、１および−１の非対称ランレングスを有する、請求項５７に記載の非一時的コンピュータ可読媒体。
【請求項６４】
前記バイナリシーケンスは、１および−１の非対称ランレングスを有する、請求項５８に記載の非一時的コンピュータ可読媒体。
【発明の詳細な説明】
【技術分野】
【０００１】
米国特許法第１１９条に基づく優先権の主張
[0001]  本出願は、両方とも本出願の譲受人に譲渡され、参照により本明細書に明確に組み込まれる、２０１５年９月２９日に出願された米国仮特許出願第６２／２３４，５５４号の利益を主張する、２０１６年８月２５日に出願された米国出願第１５／２４７，３５５号の優先権を主張する。
【０００２】
[0002]  本開示のいくつかの態様は、一般にワイヤレス通信（wireless communication）に関し、より詳細には、狭帯域動作（narrowband operation）のための同期信号（synchronization signal）の設計に関する。
【背景技術】
【０００３】
[0003]  ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、第３世代パートナーシッププロジェクト（３ＧＰＰ（登録商標）：3rd Generation Partnership Project）ロングタームエボリューション（ＬＴＥ（登録商標）：Long Term Evolution）／ＬＴＥアドバンストシステムおよび直交周波数分割多元接続（ＯＦＤＭＡ）システムを含む。
【０００４】
[0004]  概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]  ワイヤレス通信ネットワークは、いくつかのワイヤレスデバイスのための通信をサポートすることができるいくつかの基地局を含み得る。ワイヤレスデバイスはユーザ機器（ＵＥ：user equipment ）を含み得る。ＵＥのいくつかの例は、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどを含み得る。いくつかのＵＥは、基地局、別のリモートデバイス、または何らかの他のエンティティと通信し得る、センサー、メーター、ロケーションタグなどのリモートデバイスを含み得る、マシンタイプ通信（ＭＴＣ：machine-type communication）ＵＥと見なされ得る。マシンタイプ通信（ＭＴＣ）は、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００６】
[0006]  本開示のいくつかの態様は、基地局によるワイヤレス通信のための方法を提供する。本方法は、概して、１つまたは複数のサブフレーム（subframe）内の第１の数のシンボル（symbol）にわたる第１のコードシーケンス（code sequence）と第１のコードシーケンスに適用されるカバーコード（cover code）とを利用して１次同期信号（ＰＳＳ：primary synchronization signal）を生成することと、１つまたは複数のサブフレーム内の第２の数のシンボルにわたる第２のコードシーケンスに基づいて２次同期信号（ＳＳＳ：secondary synchronization signal）を生成することと、より広いシステム帯域幅（wider system bandwidth）の１つまたは複数の狭帯域領域（narrowband region）上で通信する第１のタイプのユーザ機器（ＵＥ）にＰＳＳとＳＳＳとを送信することとを含む。
【０００７】
[0007]  本開示のいくつかの態様は、ユーザ機器によるワイヤレス通信のための方法を提供する。本方法は、概して、より広いシステム帯域幅の１つまたは複数の狭帯域領域内で、１つまたは複数のサブフレーム内の第１の数のシンボルにわたる第１のコードシーケンスと第１のコードシーケンスに適用されるカバーコードとを利用して生成された１次同期信号（ＰＳＳ）を検出することと、ＰＳＳに基づいて最尤時間オフセット推定（maximum-likelihood time offset estimation）を実行することと、ここにおいて、時間オフセット（time offset）が周波数オフセット（frequency offset）と無相関である（uncorrelated）、ＰＳＳに基づいて初期時間同期（initial time synchronization）と周波数同期（frequency synchronization）とを実行することと、１つまたは複数の狭帯域領域内で、１つまたは複数のサブフレーム内の第２の数のシンボルにわたる第２のコードシーケンスに基づいて生成された２次同期信号（ＳＳＳ）を検出することと、初期時間同期と周波数同期とを改良するために、ＳＳＳに基づいて高精度時間同期（fine time synchronization）または高精度周波数同期（fine frequency synchronization）のうちの少なくとも１つを実行することとを含む。
【０００８】
[0008]  方法、装置、システム、コンピュータプログラム製品、および処理システムを含む多数の他の態様が提供される。
【図面の簡単な説明】
【０００９】
【図１】[0009]  本開示のいくつかの態様による、ワイヤレス通信ネットワークの一例を概念的に示すブロック図。
【図２】[0010]  本開示のいくつかの態様による、ワイヤレス通信ネットワークにおいてユーザ機器（ＵＥ）と通信している基地局の一例を概念的に示すブロック図。
【図３】[0011]  ロングタームエボリューション（ＬＴＥ）における周波数分割複信（ＦＤＤ）のための例示的なフレーム構造を示す図。
【図４】[0012]  ノーマルサイクリックプレフィックス（normal cyclic prefix）をもつ２つの例示的なサブフレームフォーマットを示す図。
【図５】[0013]  本開示のいくつかの態様による、基地局（ＢＳ：base station）によって実行され得る例示的な動作を示す図。
【図６】[0014]  本開示のいくつかの態様による、ユーザ機器（ＵＥ）によって実行され得る例示的な動作を示す図。
【図７】[0015]  本開示のいくつかの態様による、狭帯域モノのインターネット（ＮＢ−ＩｏＴ：narrowband internet-of-things）同期のための例示的な動作のブロック図。
【図８】[0016]  本開示のいくつかの態様による、デュアルレイヤＰＳＳシーケンス構造の一例を示す図。
【図９】[0017]  本開示のいくつかの態様による、低減されたアルファベットサイズを用いた修正されたＺａｄｏｆｆ−Ｃｈｕシーケンス（modified Zadoff-Chu Sequences）の一例を示す図。
【図１０】[0018]  本開示のいくつかの態様による、ＰＳＳ波形を生成するために基地局によって実行され得る例示的な動作のブロック図。
【図１１】[0019]  本開示のいくつかの態様による、ＮＢ−ＩｏＴとレガシーＬＴＥとの衝突のないリソースマッピングを示す時間周波数リソースのプロット。
【図１２】[0020]  本開示のいくつかの態様による、最尤推定（ＭＬＥ：maximum-likelihood estimation）の例示的なタイミングオフセット（timing offset）を示す図。
【図１３】[0021]  本開示のいくつかの態様による、送信および受信されたＰＳＳパイロットの周波数ロケーションを示す図。
【図１３Ａ】[0022]  本開示のいくつかの態様による、正規化相関（normalized correlation）に基づく正規化された周波数オフセット推定（normalized frequency offset estimation）を示すグラフ。
【図１４】[0023]  本開示のいくつかの態様による、タイミングおよび周波数捕捉のための例示的な動作のブロック図。
【図１５】[0024]  本開示のいくつかの態様による、ＳＳＳ波形を生成するために基地局によって実行され得る例示的な動作を示す図。
【図１６】[0025]  本開示のいくつかの態様による、長さのコンピュータ生成シーケンス（computer generated sequence）に対応するＰＳＳシーケンスのコンスタレーション（constellation ）を示すグラフ。
【図１６Ａ】[0026]  本開示のいくつかの態様による、長さ１２の修正されたＺａｄｏｆｆ−Ｃｈｕシーケンスに対応するＰＳＳシーケンスのコンスタレーション（constellation）を示すグラフ。
【図１７】[0027]  本開示のいくつかの態様による、タイミングオフセット推定（timing offset estimation）に対するカバーコード最適化（cover code optimization）の影響を示す、タイミング推定（timing estimation）およびタイミングメトリック（timing metric）のグラフ。
【図１７Ａ】[0028]  本開示のいくつかの態様による、バイナリカバーコードパターン（binary cover code pattern）の選定に対するタイミングオフセット推定量（timing offset estimator）の依存を示す、タイミング推定およびタイミングメトリックのグラフ。
【図１８】[0029]  本開示のいくつかの態様による、ＳＳＳシーケンスからセルＩＤ（cell ID）とシステム情報（system information）とへのマッピングを示すテーブル。
【発明を実施するための形態】
【００１０】
[0030]  本開示のいくつかの態様は、一般に、狭帯域動作のための同期信号の設計に関する。本明細書で提示される設計は、（より広い動作帯域幅内の）インバンド（in-band）展開とスタンドアロン展開（stand-alone deployment）の両方など、様々な狭帯域展開シナリオに好適であり得る。本明細書で説明されるように、いくつかの場合には、たとえば、良好な相関（correlation）およびランレングス（run length）特性をもつデュアルレイヤランダムコード（dual- layer random code）を使用して、「２層（two-tiered）」ＰＳＳ信号が構成され得る。
【００１１】
[0031]  本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ）、ｃｄｍａ２０００など、無線技術を実装し得る。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術に使用され得る。明快のために、本技法のいくつかの態様が以下ではＬＴＥ／ＬＴＥアドバンストに関して説明され、以下の説明の大部分でＬＴＥ／ＬＴＥアドバンスト用語が使用される。ＬＴＥおよびＬＴＥ−Ａは、一般にＬＴＥと呼ばれる。
【００１２】
例示的なワイヤレス通信システム（EXAMPLE WIRELESS COMMUNICATION SYSTEM）
[0032]  図１は、本開示の態様が実施され得る例示的なワイヤレス通信ネットワーク１００を示す。たとえば、本明細書で提示される技法は、図１に示されているＵＥおよびＢＳが、狭帯域（たとえば、６ＰＲＢ）ベースの探索空間を使用して、マシンタイプ物理ダウンリンク制御チャネル（ｍＰＤＣＣＨ：machine type physical downlink control channel）上で通信するのを助けるために使用され得る。
【００１３】
[0033]  ネットワーク１００は、ＬＴＥネットワークまたは何らかの他のワイヤレスネットワークであり得る。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイントなどと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１４】
[0034]  ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは１つまたは複数の（たとえば、３つの）セルをサポートし得る。「ｅＮＢ」、「基地局」および「セル」という用語は、本明細書では互換的に使用され得る。
【００１５】
[0035]  ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００１６】
[0036]  ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレスネットワーク１００における干渉に対する異なる影響を有し得る。たとえば、マクロｅＮＢは、高い送信電力レベル（たとえば、５〜４０ワット）を有し得るが、ピコｅＮＢ、フェムトｅＮＢ、およびリレーｅＮＢは、より低い送信電力レベル（たとえば、０．１〜２ワット）を有し得る。
【００１７】
[0037]  ネットワークコントローラ１３０は、ｅＮＢのセットに結合し得、これらのｅＮＢの協調および制御を行い得る。ネットワークコントローラ１３０はバックホール（backhaul）を介してｅＮＢと通信し得る。ｅＮＢはまた、たとえば、ワイヤレスバックホールまたはワイヤラインバックホールを介して直接または間接的に互いに通信し得る。
【００１８】
[0038]  ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の潜在的に干渉する送信を示す。
【００１９】
[0039]  ワイヤレス通信ネットワーク１００（たとえば、ＬＴＥネットワーク）中の１つまたは複数のＵＥ１２０はまた、狭帯域帯域幅（narrowband bandwidth）ＵＥであり得る。これらのＵＥは、ＬＴＥネットワーク中の（たとえば、より広い帯域幅上で動作することが可能な）レガシーおよび／または高度ＵＥと共存し得、ワイヤレスネットワーク中の他のＵＥと比較して制限された１つまたは複数の能力を有し得る。たとえば、ＬＴＥ  Ｒｅｌ−１２では、ＬＴＥネットワーク中のレガシーおよび／または高度ＵＥと比較して、狭帯域ＵＥは、（レガシーＵＥに対する）最大帯域幅の低減、単一の受信無線周波数（ＲＦ）チェーン、ピークレートの低減（たとえば、トランスポートブロックサイズ（ＴＢＳ：transport block size）のための最大１０００ビットがサポートされ得る）、送信電力の低減、ランク１送信、半二重動作などのうちの１つまたは複数を用いて動作し得る。いくつかの場合には、半二重動作がサポートされる場合、狭帯域ＵＥは、送信動作から受信動作への（または受信から送信への）緩和された切替えタイミングを有し得る。たとえば、ある場合には、レガシーおよび／または高度ＵＥのための２０マイクロ秒（μｓ）の切替えタイミングと比較して、狭帯域ＵＥは１ミリ秒（ｍｓ）の緩和された切替えタイミングを有し得る。
【００２０】
[0040]  いくつかの場合には、（たとえば、ＬＴＥ  Ｒｅｌ−１２における）狭帯域ＵＥはまた、ＬＴＥネットワーク中のレガシーおよび／または高度ＵＥがダウンリンク（ＤＬ）制御チャネルを監視するのと同様に離れて、ＤＬ制御チャネルを監視することが可能であり得る。リリース１２狭帯域ＵＥは、依然として、通常ＵＥと同様の方法でダウンリンク（ＤＬ）制御チャネルを監視し得、たとえば、最初の数個のシンボル中の広帯域制御チャネル（たとえば、物理ダウンリンク制御チャネル（ＰＤＣＣＨ：physical downlink control channel））、ならびに比較的狭帯域を占有するが、サブフレームの長さにわたる狭帯域制御チャネル（たとえば、拡張ＰＤＣＣＨ（ｅＰＤＣＣＨ））について監視する。
【００２１】
[0041]  いくつかの態様によれば、狭帯域ＵＥは、より広いシステム帯域幅内で（たとえば、１．４／３／５／１０／１５／２０ＭＨｚにおいて）共存しながら、利用可能なシステム帯域幅）から区分される１．４ＭＨｚまたは６つのリソースブロック（ＲＢ：resource block）の特定の狭帯域割当てに制限され得る。さらに、狭帯域ＵＥはまた、１つまたは複数のカバレージ動作モードをサポートすることが可能であり得る。たとえば、狭帯域ＵＥは、１５ｄＢまでのカバレージ拡張（coverage enhancement）をサポートすることが可能であり得る。
【００２２】
[0042]  本明細書で使用される、限られた通信リソース、たとえばより小さい帯域幅をもつデバイスは、一般に狭帯域ＵＥと呼ばれることがある。同様に、（たとえば、ＬＴＥにおける）レガシーおよび／または高度ＵＥなどのレガシーデバイスは、一般に広帯域ＵＥと呼ばれることがある。概して、広帯域ＵＥは、狭帯域ＵＥよりも大きい量の帯域幅上で動作することが可能である。
【００２３】
[0043]  いくつかの場合には、ＵＥ（たとえば、狭帯域ＵＥまたは広帯域ＵＥ）は、ネットワークにおいて通信する前にセル探索および捕捉プロシージャ（cell search and acquisition procedure）を実行し得る。ある場合には、一例として図１に示されているＬＴＥネットワークに関して、ＵＥがＬＴＥセルに接続されておらず、ＬＴＥネットワークにアクセスすることを希望するとき、セル探索および捕捉プロシージャが実行され得る。これらの場合、ＵＥは、ちょうど電源投入した、ＬＴＥセルへの接続を一時的に失った後に接続を復元した、などであり得る。
【００２４】
[0044]  他の場合には、ＵＥがＬＴＥセルにすでに接続されているとき、セル探索および捕捉プロシージャが実行され得る。たとえば、ＵＥは、新しいＬＴＥセルを検出していることがあり、新しいセルへのハンドオーバを準備し得る。別の例として、ＵＥは、１つまたは複数の低電力状態において動作していることがあり（たとえば、間欠受信（ＤＲＸ）をサポートし得）、１つまたは複数の低電力状態を出ると、（ＵＥがまだ接続モードにあるにもかかわらず）セル探索および捕捉プロシージャを実行しなければならないことがある。
【００２５】
[0045]  図２は、図１の基地局／ｅＮＢの１つであり得る基地局／ｅＮＢ１１０および図１のＵＥの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ただし、概してＴ≧１およびＲ≧１である。
【００２６】
[0046]  基地局１１０において、送信プロセッサ２２０が、１つまたは複数のＵＥについてデータソース２１２からデータを受信し、ＵＥから受信されたＣＱＩに基づいて各ＵＥのための１つまたは複数の変調およびコーディング方式（ＭＣＳ：modulation and coding scheme）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、ＳＲＰＩなどのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、ＣＲＳ）および同期信号（たとえば、ＰＳＳおよびＳＳＳ）のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭ（orthogonal frequency division multiplexing）などのために）それぞれの出力シンボルストリームを処理し得る。各変調器２３２はさらに、ダウンリンク信号を取得するために、出力サンプルストリームを処理（たとえば、アナログ変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２７】
[0047]  ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４はさらに、受信シンボルを取得するために、（たとえば、ＯＦＤＭなどのための）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、ＲＳＲＰ、ＲＳＳＩ、ＲＳＲＱ、ＣＱＩなどを決定し得る。
【００２８】
[0048]  アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００２９】
[0049]  コントローラ／プロセッサ２４０および２８０は、それぞれ基地局１１０およびＵＥ１２０における動作を指示し得る。たとえば、ＵＥ１２０におけるプロセッサ２８０および／または他のプロセッサおよびモジュールは、図６に示されている動作６００を実行または指示し得る。メモリ２４２および２８２は、それぞれ基地局１１０およびＵＥ１２０のためのデータおよびプログラムコードを記憶し得る。スケジューラ２４６は、ダウンリンク上および／またはアップリンク上でのデータ送信のためにＵＥをスケジュールし得る。
【００３０】
[0050]  図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスが割り当てられ得る。
【００３１】
[0051]  ＬＴＥでは、ｅＮＢは、ｅＮＢによってサポートされるセルごとにシステム帯域幅の中心においてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉（cell search and acquisition）のためにＵＥによって使用され得、情報の中でも、（たとえば、セルＩＤを決定することにおいて使用されるＰＳＳとＳＳＳを用いる）複信モード（duplexing mode）の指示とともにセルＩＤを含んでいることがある。複信モードの指示は、セルが時分割複信（ＴＤＤ）フレーム構造を利用するのか周波数分割複信（ＦＤＤ）フレーム構造を利用するのかを示し得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００３２】
[0052]  チャネル品質測定が、定義されたスケジュールに従ってＵＥによって実行され得、そのようなスケジュールはＵＥのＤＲＸサイクルに基づく。たとえば、ＵＥは、ＤＲＸサイクルごとにサービングセルのための測定を実行することを試み得る。ＵＥはまた、非サービングネイバリングセルのための測定を実行することを試み得る。非サービングネイバーセルのための測定は、サービングセルのためのものとは異なるスケジュールに基づいて行われ得、ＵＥは、ＵＥが接続モードにあるとき、非サービングセルを測定するためにサービングセルから離調する必要があり得る。
【００３３】
[0053]  チャネル品質測定を可能にするために、ｅＮＢが特定のサブフレーム上でセル固有基準信号（ＣＲＳ：cell specific reference signal）を送信し得る。たとえば、ｅＮＢは、所与のフレームのためのサブフレーム０および５上でＣＲＳを送信し得る。狭帯域ＵＥは、この信号を受信し、受信された信号の平均電力、またはＲＳＲＰを測定し得る。狭帯域ＵＥはまた、すべてのソースからの総受信信号電力に基づいて受信信号強度インジケータ（ＲＳＳＩ：Receive Signal Strength Indicator）を計算し得る。また、ＲＳＲＱが、ＲＳＲＰとＲＳＳＩとに基づいて計算され得る。
【００３４】
[0054]  測定を可能にするために、ｅＮＢは、それのカバレージエリア中のＵＥに測定構成を与え得る。測定構成は測定報告のためのイベントトリガを定義し得、各イベントトリガは、関連するパラメータを有し得る。ＵＥが、構成された測定イベントを検出したとき、ＵＥは、関連する測定対象に関する情報とともにｅＮＢに測定報告を送ることによって応答し得る。構成された測定イベントは、たとえば、しきい値を満たす、測定された基準信号受信電力（ＲＳＲＰ：reference signal received power）または測定された基準信号受信品質（ＲＳＲＱ：reference signal received quality）であり得る。ＵＥがそれの測定報告を送る前に、測定イベントがどのくらい長く残存しなければならないかを定義するために、トリガ時間（ＴＴＴ：time-to-trigger）パラメータが使用され得る。このようにして、ＵＥは、それの無線状態の変化をネットワークにシグナリングし得る。
【００３５】
[0055]  図４は、ノーマルサイクリックプレフィックスをもつ２つの例示的なサブフレームフォーマット４１０および４２０を示す。利用可能な時間周波数リソースはリソースブロックに区分され得る。各リソースブロックは、１つのスロット中の１２個のサブキャリアをカバーし得、いくつかのリソース要素（resource element）を含み得る。各リソース要素は、１つのシンボル期間中の１つのサブキャリアをカバーし得、実数値または複素数値であり得る１つの変調シンボルを送るために使用され得る。
【００３６】
[0056]  サブフレームフォーマット４１０は、２つのアンテナのために使用され得る。ＣＲＳは、シンボル期間０、４、７および１１中にアンテナ０および１から送信され得る。基準信号は、送信機および受信機によってアプリオリ（a priori）に知られる信号であり、パイロットと呼ばれることもある。ＣＲＳは、たとえば、セルアイデンティティ（cell identity）（ＩＤまたは識別情報（identification））に基づいて生成される、セルに固有である基準信号である。図４では、ラベルＲａをもつ所与のリソース要素について、アンテナａからはそのリソース要素上で変調シンボルが送信され得、他のアンテナからはそのリソース上で変調シンボルが送信されないことがある。サブフレームフォーマット４２０は、４つのアンテナとともに使用され得る。ＣＲＳは、シンボル期間０、４、７および１１中でアンテナ０および１から送信され、シンボル期間１および８中でアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。ＣＲＳは、それらのセルＩＤに応じて、同じまたは異なるサブキャリア上で送信され得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００３７】
[0057]  ＬＴＥにおけるＰＳＳ、ＳＳＳ、ＣＲＳおよびＰＢＣＨは、公的に利用可能である「Evolved Universal Terrestrial Radio Access (E-UTRA); Physical Channels and Modulation」と題する３ＧＰＰ  ＴＳ  ３６．２１１に記載されている。
【００３８】
[0058]  ＬＴＥにおけるＦＤＤのためのダウンリンクおよびアップリンクの各々のためにインターレース構造（interlace structure）が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００３９】
[0059]  ワイヤレスネットワークは、ダウンリンクおよびアップリンク上でのデータ送信のためのハイブリッド自動再送要求（ＨＡＲＱ）をサポートし得る。ＨＡＲＱの場合、送信機（たとえば、ｅＮＢ）は、パケットが受信機（たとえば、ＵＥ）によって正確に復号されるか、または何らかの他の終了条件が遭遇されるまで、パケットの１つまたは複数の送信を送り得る。同期ＨＡＲＱの場合、パケットのすべての送信が単一のインターレースのサブフレーム中で送られ得る。非同期ＨＡＲＱの場合、パケットの各送信は任意のサブフレーム中で送られ得る。
【００４０】
[0060]  ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失など、様々な基準に基づいて選択され得る。受信信号品質は、信号対雑音干渉比（ＳＩＮＲ：signal-to-noise-and-interference ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
【００４１】
[0061]  旧来のＬＴＥ設計の焦点は、スペクトル効率の改善、ユビキタスカバレージ、および拡張サービス品質（ＱｏＳ）サポートに対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。
【００４２】
[0062]  したがって、上記で説明されたように、ワイヤレス通信ネットワーク（たとえば、ワイヤレス通信ネットワーク１００）中の１つまたは複数のＵＥは、ワイヤレス通信ネットワーク中の他の（広帯域）デバイスと比較して、狭帯域ＵＥなど、限られた通信リソースを有するデバイスであり得る。狭帯域ＵＥでは、限られた量の情報のみが交換される必要があり得るので、様々な要件が緩和され得る。たとえば、（広帯域ＵＥに対して）最大帯域幅が低減され得、単一の受信無線周波数（ＲＦ）チェーンが使用され得、ピークレートが低減され得（たとえば、トランスポートブロックサイズのために最高１００ビット）、送信電力が低減され得、ランク１送信が使用され得、半二重動作が実行され得る。
【００４３】
[0063]  いくつかの場合には、半二重動作が実行される場合、狭帯域ＵＥは、送信から受信に（または受信から送信に）遷移するための緩和された切替え時間を有し得る。たとえば、切替え時間は、通常ＵＥのための２０μｓから狭帯域ＵＥのための１ｍｓに緩和され得る。リリース１２狭帯域ＵＥは、依然として、通常ＵＥと同様の方法でダウンリンク（ＤＬ）制御チャネルを監視し得、たとえば、最初の数個のシンボル中の広帯域制御チャネル（たとえば、ＰＤＣＣＨ）、ならびに比較的狭帯域を占有するが、サブフレームの長さにわたる狭帯域制御チャネル（たとえば、ｅＰＤＣＣＨ）を監視する。
【００４４】
[0064]  いくつかのシステムでは、たとえば、ＬＴＥ  Ｒｅｌ−１３では、狭帯域は、利用可能なシステム帯域幅内の（たとえば、６つ以下のリソースブロック（ＲＢ：resource block）の）特定の狭帯域割当てに限定され得る。しかしながら、狭帯域は、たとえば、ＬＴＥシステム内で共存するために、ＬＴＥシステムの利用可能なシステム帯域幅内の異なる狭帯域領域に再同調する（たとえば、動作するおよび／またはキャンピングする）ことが可能であり得る。
【００４５】
[0065]  ＬＴＥシステム内での共存の別の例として、狭帯域ＵＥは、レガシー物理ブロードキャストチャネル（ＰＢＣＨ）（たとえば、概して、セルへの初期アクセスのために使用され得るパラメータを搬送するＬＴＥ物理チャネル）を（繰返しで）受信し、１つまたは複数のレガシー物理ランダムアクセスチャネル（ＰＲＡＣＨ：physical random access channel）フォーマットをサポートすることが可能であり得る。たとえば、狭帯域ＵＥは、複数のサブフレームにわたるＰＢＣＨの１回または複数回の追加の繰返しでレガシーＰＢＣＨを受信することが可能であり得る。別の例として、狭帯域ＵＥは、ＬＴＥシステムにおけるｅＮＢにＰＲＡＣＨの１回または複数回の繰返しを送信する（たとえば、１つまたは複数のＰＲＡＣＨフォーマットがサポートされる）ことが可能であり得る。ＰＲＡＣＨは、狭帯域ＵＥを識別するために使用され得る。また、繰り返されるＰＲＡＣＨ試みの数は、ｅＮＢによって構成され得る。
【００４６】
[0066]  狭帯域ＵＥはまた、リンクバジェット制限付きデバイス（link budget limited device）であり得、それのリンクバジェット制限に基づいて、（たとえば、狭帯域ＵＥに送信される異なる量の繰返しメッセージを伴う）異なる動作モードで動作し得る。たとえば、いくつかの場合には、狭帯域ＵＥは、繰返しがほとんどない（すなわち、ＵＥがメッセージを正常に受信するために必要とされる繰返しの量が少ないことがあるか、または繰返しが必要とされないことさえある）通常カバレージモードで動作し得る。代替的に、いくつかの場合には、狭帯域ＵＥは、大きい量の繰返しがあり得るカバレージ拡張（ＣＥ：coverage enhancement）モードで動作し得る。たとえば、３２８ビットペイロードの場合、ＣＥモードにある狭帯域ＵＥは、ペイロードを正常に受信するために、ペイロードの１５０回以上の繰返しを必要とし得る。
【００４７】
[0067]  いくつかの場合には、たとえば、ＬＴＥ  Ｒｅｌ−１３の場合、狭帯域ＵＥは、ブロードキャスト送信およびユニキャスト送信のそれの受信に関する制限された能力を有することがある。たとえば、狭帯域ＵＥによって受信されたブロードキャスト送信のための最大トランスポートブロック（ＴＢ：transport block）サイズは、１０００ビットに制限され得る。さらに、いくつかの場合には、狭帯域ＵＥは、サブフレーム中で２つ以上のユニキャストＴＢを受信することが可能でないことがある。いくつかの場合には（たとえば、上記で説明されたＣＥモードとノーマルモードの両方の場合）、狭帯域ＵＥは、サブフレーム中で２つ以上のブロードキャストＴＢを受信することが可能でないことがある。さらに、いくつかの場合には、狭帯域ＵＥは、サブフレーム中でユニキャストＴＢとブロードキャストＴＢの両方を受信することが可能でないことがある。
【００４８】
[0068]  ＬＴＥシステムにおいて共存する狭帯域ＵＥはまた、ページング、ランダムアクセスプロシージャなどのいくつかのプロシージャのための新しいメッセージを（たとえば、これらのプロシージャのためにＬＴＥにおいて使用される従来のメッセージとは対照的に）サポートし得る。言い換えれば、ページング、ランダムアクセスプロシージャなどのためのこれらの新しいメッセージは、非狭帯域ＵＥに関連する同様のプロシージャのために使用されるメッセージとは別個であり得る。たとえば、ＬＴＥにおいて使用される従来のページングメッセージと比較して、狭帯域ＵＥは、非狭帯域ＵＥが監視および／または受信することが可能でないことがある得るページングメッセージを監視および／または受信することが可能であり得る。同様に、従来のランダムアクセスプロシージャにおいて使用される従来のランダムアクセス応答（ＲＡＲ：random access response）メッセージと比較して、狭帯域ＵＥは、同じく、非狭帯域ＵＥによって受信されることが可能でないことがあるＲＡＲメッセージを受信することが可能であり得る。狭帯域ＵＥに関連する新しいページングおよびＲＡＲメッセージはまた、１回または複数回繰り返され（たとえば、「バンドル（bundle）」され）得る。さらに、新しいメッセージについて異なる繰返し数（たとえば、異なるバンドリングサイズ）がサポートされ得る。
【００４９】
[0069]  いくつかの態様によれば、各狭帯域領域が合計６つ以下のＲＢである帯域幅にわたる複数の狭帯域領域は、狭帯域ＵＥおよび／または狭帯域動作によってサポートされ得る。いくつかの場合には、狭帯域動作における各狭帯域ＵＥは、一度に（たとえば、１．４ＭＨｚまたは６つのＲＢにおいて）１つの狭帯域領域内で動作し得る。しかしながら、狭帯域動作における狭帯域ＵＥは、所与の時間に、より広いシステム帯域幅における他の狭帯域領域に再同調し得る。いくつかの例では、複数の狭帯域ＵＥが同じ狭帯域領域によってサービスされ得る。他の例では、複数の狭帯域ＵＥが、（たとえば、各狭帯域領域が６つのＲＢにわたる）異なる狭帯域領域によってサービスされ得る。また他の例では、狭帯域ＵＥの異なる組合せが、１つまたは複数の同じ狭帯域領域および／あるいは１つまたは複数の異なる狭帯域領域によってサービスされ得る。
【００５０】
[0070]  たとえば、ＬＴＥ  Ｒｅｌ−１３における、いくつかのシステムは、狭帯域ＵＥならびに他のＵＥのためのカバレージ拡張およびサポートを導入する。本明細書で使用されるカバレージ拡張という用語は、概して、ネットワーク内の（狭帯域デバイスなどの）デバイスのカバレージ範囲を拡張する任意のタイプの機構を指す。カバレージ拡張（ＣＥ）のための１つの手法は、（たとえば、複数のサブフレームにわたって、または以下でより詳細に説明されるように、同じサブフレーム内の複数のシンボルにわたって）複数回同じデータを送信することを指すバンドリング（bundling）である。
【００５１】
[0071]  いくつかのシステムでは、狭帯域ＵＥは、より広いシステム帯域幅中で動作しながら狭帯域動作をサポートし得る。たとえば、狭帯域ＵＥは、システム帯域幅のうちの狭帯域領域中で送信および受信し得る。上述のように、狭帯域領域は６つのリソースブロック（ＲＢ）にわたり得る。
【００５２】
[0072]  いくつかのシステムは、ＵＥとｅＮＢとの間の１５５．７ｄＢ最大結合損失にマッピングする最高１５ｄＢのカバレージ拡張をもつ狭帯域ＵＥを与え得る。したがって、狭帯域ＵＥおよびｅＮＢは、低いＳＮＲ（たとえば、−１５ｄＢ〜−２０ｄＢ）において測定を実行し得る。いくつかのシステムでは、カバレージ拡張はチャネルバンドリング（channel bundling）を含み得、ここにおいて、狭帯域ＵＥに関連するメッセージが１回または複数回繰り返され（たとえば、バンドルされ）得る。
【００５３】
[0073]  いくつかのデバイスは、レガシータイプ通信と非レガシータイプ通信の両方と通信することが可能であり得る。たとえば、いくつかのデバイスは、（システム帯域幅全体の）狭帯域領域ならびにより広い帯域領域の両方において通信することが可能であり得る。上記の例は、狭帯域領域を介して通信する低コストまたはＭＴＣデバイスを指すが、たとえば、周波数選択性および指向性送信を利用する、他の（非低コスト／非ＭＴＣ）タイプのデバイスも、狭帯域領域を介して通信し得る。
【００５４】
狭帯域動作のための同期信号の例示的な設計（EXAMPLE DESIGN OF SYNCHRONIZATION SIGNALS FOR NARROWBAND OPERATION）
[0074]  本論のいくつかの態様は、狭帯域モノのインターネット（ＮＢ−ＩｏＴ）デバイスなど、システム帯域幅の相対狭帯域領域を使用して通信するデバイスによって検出され得る同期信号の設計を提供する。上述のように、本明細書で提示される設計は、インバンド展開とスタンドアロン展開の両方に好適であり得る、良好な相関およびランレングス特性をもつＰＳＳ信号を生成するために２層手法を利用し得る。
【００５５】
[0075]  そのような同期信号は、周波数およびタイミング同期のために使用されるＰＳＳと、システム情報を伝達するためのＳＳＳとを含み得る。本開示のいくつかの態様よれば、狭帯域モノのインターネット（ＮＢ−ＩｏＴ）動作の同期信号は、狭いチャネル帯域幅を占有し、同じ周波数帯域中で展開される（１つまたは複数の）レガシーＧＳＭ／ＷＣＤＭＡ／ＬＴＥシステムと共存することができる。本開示の一態様では、ＮＢ−ＩｏＴ同期信号は１つの物理リソースブロック（ＰＲＢ：Physical Resource Block）のみを利用する。
【００５６】
[0076]  本開示のいくつかの態様によれば、狭帯域デバイスは、ローエンドマシンタイプ通信（ＭＴＣ）市場における超低スループットマシンツーマシン（Ｍ２Ｍ）通信（very low throughput machine to machine (M2M) communication）をサポートし得、それは電力効率を提供することができる。たとえば、いくつかのデバイスのためのバッテリー寿命は、（たとえば、５ワット時のバッテリー容量の場合）最高１０年の目標を有し得る。多数のＮＢ−ＩｏＴデバイスが展開され得、レガシーＧＰＲＳに対して最高２０ｄＢカバレージ拡張の信頼できる屋内カバレージを与え得ることが想像できる。そのようなデバイスはまた、１階および地階配備などの難しい配備において動作することが可能であり得る。そのようなデバイスは、それらが回線交換サービスをサポートする必要がないことがあり、無線アクセス技術間（ＩＲＡＴ：Inter-Radio Access Technology）モビリティをサポートする必要がないことがあるので、低減された複雑さ（およびコスト）を有し得る。
【００５７】
[0077]  本開示のいくつかの態様によれば、ＮＢ−ＩｏＴデバイスのインバンド展開は、（適合トーン間隔および帯域幅の場合のように）レガシーＬＴＥヌメロロジー（numerology）に従い得る。以下でより詳細に説明されるように、リソース割振り（resource allocation）は、セル固有基準信号（ＣＲＳ）、同期信号、および制御チャネルなど、ＮＢ−ＩｏＴ物理的信号とレガシーＬＴＥ  ＤＬ物理的信号との間の衝突がない（collision-free）ことがある。
【００５８】
[0078]  いくつかの態様によれば、本明細書で提示されるＰＳＳ／ＳＳＳ方式は、初期ＤＬ同期のために最高２０ｐｐｍの周波数オフセットをもつ展開（たとえば、約１８ＫＨｚ〜９００ＭＨｚモバイル用グローバルシステム（ＧＳＭ：Global System for Mobile））においても、ＵＥが小数キャリア周波数オフセットと整数キャリア周波数オフセットの両方を実行することを可能にし得る。１８ＫＨｚが１５ＫＨｚ（ＮＢ−ＩｏＴサブキャリア間隔（subcarrier spacing））よりも大きいので、ＮＢ−ＩｏＴデバイスは、１つのサブキャリア間隔よりも大きい周波数オフセットを扱うことを必要とされる。
【００５９】
[0079]  いくつかの場合には（たとえば、常に増加する展開されたＩｏＴデバイス、およびＵＬトラフィックの優位がある場合、同期信号は、従来の同期信号（たとえば、レガシーＬＴＥデバイスのＰＳＳ／ＳＳＳ）に対して、より多くのセルＩＤなど、より多くのシステム情報を搬送することを必要とされる。大規模展開では、ＮＢ同期信号は、たとえば、サブフレームインデックス指示（subframe index indication）と、インバンド／スタンドアロン／ガードバンド展開モードと、周波数分割複信（ＦＤＤ）／時分割複信（ＴＤＤ）多重化コードとをシグナリングするために、システム情報のシグナリングのために割り振られるビットをレガシーＬＴＥよりも多く使用し得る。
【００６０】
[0080]  本明細書で提示されるＰＳＳ／ＳＳＳ設計はスタンドアロン／インバンド／ガードバンド展開に好適であり得、設計は、２つ以上の物理リソースブロック（ＰＲＢ）を使用して他のＬＴＥベースＭＴＣ展開に拡張され得る。たとえば、同期信号サブキャリア間隔は１５ＫＨｚであり得、レガシーＬＴＥのＯＦＤＭシンボル境界と完全に整合され得る。いくつかの場合には、ＮＢ−ＩｏＴ同期信号は、レガシーＬＴＥ  ＤＬ物理的信号および制御チャネルによって占有されていない、リソース要素を利用することができ、占有されていないリソース要素の利用は、リソースセグメンテーション（resource segmentation）および干渉問題（interference problem）を解決することができる。そのような信号設計は、レガシーＬＴＥ動作内の狭帯域ＬＴＥシステムと広帯域ＬＴＥシステムとの共存を可能にし得る。
【００６１】
[0081]  極端なカバレージ状況のいくつかの場合、１６４ｄＢの最小結合損失（ＭＣＬ：minimum coupling loss）が必要とされ得る。設計は、高い電力効率を有し、多数のデバイスをサポートし、低コストで実装され得る。いくつかの場合には、１８０ｋＨｚチャネル帯域幅が、狭帯域ＵＥによって通信のために使用され得る。
【００６２】
[0082]  図５は、本開示の態様による、同期シグナリング（synchronization signaling）に従って基地局（ＢＳ）によって実行され得る例示的な動作５００を示す。
【００６３】
[0083]  動作５００は、５０２において、１つまたは複数のサブフレーム内の第１の数のシンボルにわたる第１のコードシーケンスと第１のコードシーケンスに適用されるカバーコードとを利用して１次同期信号（ＰＳＳ）を生成することによって開始する。５０４において、基地局は、１つまたは複数のサブフレーム内の第２の数のシンボルにわたる第２のコードシーケンスに基づいて２次同期信号（ＳＳＳ）を生成する。これらの２つの動作（５０２および５０４）は、上記で説明されたＰＳＳを生成することへの２層手法に対応し得る。
【００６４】
[0084]  ５０６において、基地局は、より広いシステム帯域幅の１つまたは複数の狭帯域領域上で通信する第１のタイプのユーザ機器（ＵＥ）に、第１のサブフレームおよび第２のサブフレーム中でＰＳＳとＳＳＳとを送信する。ＰＳＳとＳＳＳとは、好適な様式で、たとえば、重複しないリソース（non- overlapping resource）を使用して送信され得る。いくつかの場合には、（たとえば、同じサブフレーム中の異なるシンボルを使用して、または異なるサブフレーム中で）ＰＳＳは最初に送られ、ＳＳＳは後で送られ得る。
【００６５】
[0085]  図６は、本明細書で提示される態様による、ＰＳＳ／ＳＳＳシグナリングを検出するために、ユーザ機器（ＵＥ）によって実行され得る例示的な動作６００を示す。言い換えれば、動作は、上記で説明された図５の動作５００に従って基地局によって送信されたＰＳＳ／ＳＳＳシグナリングを検出するために実行され得る。
【００６６】
[0086]  動作６００は、６０２において、より広いシステム帯域幅の１つまたは複数の狭帯域領域内で、１つまたは複数のサブフレーム内の第１の数のシンボルにわたる第１のコードシーケンスと第１のコードシーケンスに適用されるカバーコードとを利用して生成された１次同期信号（ＰＳＳ）を検出することによって開始する。
【００６７】
[0087]  ６０４において、ＵＥは、ＰＳＳに基づいて最尤時間オフセット推定を実行し、ここにおいて、時間オフセットは周波数オフセットと無相関である。６０６において、ＵＥは、ＰＳＳに基づいて初期時間同期と周波数同期とを実行する。
【００６８】
[0088]  ６０８において、ＵＥは、１つまたは複数の狭帯域領域内で、１つまたは複数のサブフレーム内の第２の数のシンボルにわたる第２のコードシーケンスに基づいて生成された２次同期信号（ＳＳＳ）を検出する。６１０において、ＵＥは、初期時間同期と周波数同期とを改良するために、ＳＳＳに基づいて高精度時間同期または高精度周波数同期のうちの少なくとも１つを実行する。
【００６９】
[0089]  図７は、本開示のいくつかの態様による、ＮＢ−ＩｏＴ同期のための例示的な動作７００を示すフローチャートである。図７に示されている動作は、たとえば、上記で説明された動作のより具体的な例を表し得る。
【００７０】
[0090]  ７０２において、ＮＢ−ＩｏＴ  ＤＬ同期は、ＰＳＳによる初期時間同期（時間領域における自己相関（auto correlation in the time domain））から開始する。７０４において、ＰＳＳに基づいて小数周波数オフセット補正（fractional frequency offset correction）が実行され得る（カバーコードのパターン、または周波数ビニング（frequency binning）に基づく複数の仮説（hypothesis）による、コフェージングされたシンボル（co-phased symbol）と時間同期されたシンボル（time synchronized symbol）との間の自己相関）。７０６において、ＰＳＳは、（たとえば、ＰＳＳと、受信された信号のローカル／遅延したレプリカ（local/delayed replica ）との間の周波数領域（frequency domain）における相互相関（cross correlation）に基づいて）整数周波数オフセット補正（integer frequency offset correction）を実行するために使用され得る。
【００７１】
[0091]  ７０８において、ＳＳＳに基づいて高精度タイミングオフセット同調（fine timing offset tuning）が実行され得る（時間領域における相互相関）。図示のように、ＳＳＳは、セルＩＤ７１０だけでなく、サブフレームＩＤ７１２および／または他のシステム情報７１４などの追加情報をも復号するために使用され得る。いくつかの場合には、カバーコードのパターンは、タイミングオフセットのＭＬ推定を所望の形式（desired form）に整形する（shape）ように選択され得る。
【００７２】
[0092]  本開示のいくつかの態様によれば、ＰＳＳは、Ｌ個の直交周波数分割多重（ＯＦＤＭ：orthogonal frequency division multiplexing ）シンボルを用いて設計され得、ここで、Ｌは構成可能な整数であり得、Ｌ個のＰＳＳシンボルは、局所および／または分散リソース要素にマッピングされ得る。いくつかの場合には、すべてのＬ個のＰＳＳシンボルは、１つの逆高速フーリエ変換（ＩＦＦＴ：Inverse Fast Fourier Transform）のみによって生成され得る。上述のように、サブキャリア間隔は１５ＫＨｚであり得、帯域幅は１８０ＫＨｚであり得る。いくつかの場合には、ＰＳＳは、（レイヤＩの場合の）「ベースコード（Base Code）」と（レイヤＩＩの場合の）「コードカバー（Code Cover）」とを使用して、デュアルレイヤシーケンス設計方式に従って生成され得る。
【００７３】
[0093]  本開示のいくつかの態様によれば、「ベースコード」のコンスタレーションは、２位相シフトキーイング（ＢＰＳＫ：Binary Phase Shift Keying）、または４位相シフトキーイング（ＱＰＳＫ：Quadrature Phase Shift Keying）、または小さいアルファベットサイズ（small alphabet size）と比較的大きいユークリッド距離（Euclidean distance）とを用いたパンクチャ（puncture）されたＭＰＳＫ変調であり得る。ベースコードシーケンスは、整数周波数オフセットの信頼できる検出を可能にする、周波数領域における良好な自己相関特性を所有することを必要とされる。
【００７４】
[0094]  たとえば、ＰＳＳ「ベースコード（Base Code）」は、コンピュータ生成シーケンス（ＣＧＳ：computer generated sequence）、修正されたＺａｄｏｆｆ−Ｃｈｕシーケンス（modified Zadoff-Chu sequence）、パンクチャされたＺａｄｏｆｆ−Ｃｈｕシーケンス（punctured Zadoff-Chu sequence）、ｍシーケンス、直交ウォルシュコード、ＰＮシーケンスまたはバーカーコードを使用し得る。ＰＳＳシーケンスは、タイミング捕捉の精度を改善するためにＰＳＳベースコードの上にバイナリコードカバー（binary code cover）を採用することによって構成され得る。
【００７５】
[0095]  本開示の他の態様では、「コードカバー（Code Cover）」は、（１および−１について）非対称ランレングスをもつバイナリランダムコード（binary random code）「カバー」であり得、２に等しいかまたはそれよりも大きいランレングスが、位相連続性を保持するために使用され得、特大の高速フーリエ変換（ＦＦＴ）のための拡大された時間ウィンドウを与え、これは、周波数オフセット解像度（frequency offset resolution）を改善し得る。一態様では、「コードカバー」極性逆非対称性（polarity reverse asymmetry）が、タイミングあいまいさ（timing ambiguity）を解決するのに役立ち得る。いくつかの場合には、コードカバーは、バーカーコード（Barker code）、ウォルシュコード（Walsh code）などを含み得る。所与のＰＳＳシーケンス長のコンピュータ探索によって、コードカバー最適化が達成され得る。いくつかの場合には、レガシーシステム（ＬＴＥなど）において使用されるＰＳＳシーケンスの短縮されたバージョン（truncated version）も、ＮＢ−ＩｏＴ  ＰＳＳシーケンスのために使用され得る。
【００７６】
[0096]  図８は、本開示のいくつかの態様による、デュアルレイヤＰＳＳシーケンス構造８００の一例を示す。図示のように、デュアルレイヤは、１つのＬＴＥ物理リソースブロック（ＰＲＢ）内のＬ×Ｋ個の局所または分散リソース要素をマッピングすることに対応し、インバンド展開の場合のそれ、ＮＢ−ＩｏＴ割振りが、レガシーＬＴＥの「予約済み（reserved）」ＲＥを回避することができる。
【００７７】
[0097]  図９は、低減されたアルファベットサイズ（reduced alphabet size）を用いた修正されたＺａｄｏｆｆ−Ｃｈｕシーケンス（Zadoff-Chu Sequence）９００の一例を示す。本例は、修正されたＺＣシーケンスが、位相および周波数誤差を低減し、Ｚａｄｏｆｆ−Ｃｈｕシーケンスの自己相関特性を維持することために利用され得ることを示している。図示の例は、Ｋ＝１２の場合、ＰＳＳシーケンスのベースコードがＣ（ｋ）として定義され得ることを示し、ここで、ｋ＝１、２、．．．、Ｋである。
【００７８】
[0098]  図１０は、本開示の態様による、ＰＳＳ波形を生成するための例示的な論理ブロック１０００を示す。ブロック１０００は、任意の好適な回路中で実装され得る。
【００７９】
[0099]  図示のように、ブロック１０００は、ＩＦＦＴ入力の長さを２のべき乗に等しい値にすることを必要とされ得る、ＰＳＳベースコードを（１つまたは複数の）０でパディングするためのブロック１１０４を含み得る。逆高速フーリエ変換（ＩＦＦＴ）ブロック１００６が、パディングされたＰＳＳベースコードを取り得、それの出力が、ブロック１００８において並直列変換を受け得る（undergo）。ブロック１０１０において、サイクリックプレフィックス（ＣＰ：cyclic prefix）が挿入され得、ブロック１０１２において、（たとえば、バイナリ擬似雑音（ＰＮ：Pseudo Noise）コードカバーを使用して）コードカバーが適用され得る。ブロック１０１４において、信号は、デジタルアナログ変換器（ＤＡＣ）を通してアナログ信号に変換され、フィルタ処理され、次いで、送信され得る。
【００８０】
[0100]  一例では、レガシーＬＴＥと完全に整合された単一境界ＮＢ−ＩｏＴを示すために、１２８ＩＦＦＴサイズが選定され得、サンプリング周波数（Ｆｓ）が１．９２ＭＨｚにおいて設定され得、サブキャリア間隔が１５ＫＨｚにおいて設定され得る（ただし、これらのパラメータは変動し得る）。ＮＢ−ＩｏＴとレガシーＬＴＥとの間のシンボル境界整合（symbol boundary alignment）は、整合がなければ発生し得る干渉を防ぐのを助け得る。本開示のいくつかの態様では、ＰＳＳベースコードおよびカバーコードは、本出願において言及された技法によって生成され得、ＰＳＳシンボルは、レガシーＬＥＴ割振りに直交するリソース要素を占有することができる。
【００８１】
[0101]  図１１は、ＮＢ−ＩｏＴとレガシーＬＴＥとの衝突がないリソースマッピング（collision-free resource mapping）の例示的な表現（リソースマップ１１００）を示し、ここにおいて、マッピングは、ＮＢ−ＩｏＴのインバンド展開とスタンドアロン展開の両方に好適であり得る。本例は、時間領域におけるサブフレームｎおよびｎ＋１を示す。
【００８２】
[0102]  本例は、サブフレームｎが、レガシーＬＴＥによって占有されていないシンボル要素を利用するＮＢ−ＩｏＴ  ＰＳＳを有し得、サブフレームｎ＋１が、レガシーＬＴＥによって占有されていないシンボル要素を利用するＮＢ−ＩｏＴ  ＳＳＳを有し得ることをさらに示す。本例は、ＮＢ−ＩｏＴ同期信号（インバンド展開とスタンドアロン展開の両方のＰＳＳ／ＳＳＳ）がレガシーＬＴＥ  ＯＦＤＭシンボル境界と完全に整合され得、シンボルが完全に整合され得るので、ＮＢ−ＩｏＴとレガシーＬＴＥとの間で衝突（競合）および干渉が発生しないことをも示す。より一般化された場合、ＰＳＳシーケンスとＳＳＳシーケンスとは、重複なしに同じサブフレーム中で時間多重化（time multiplex）され得る。また、複数のサブフレームにわたるＰＳＳシーケンスとＳＳＳシーケンスとの繰返しが、カバレージ拡張のためにサポートされる。
【００８３】
[0103]  図１２は、時間領域処理の一部としてタイミングオフセットの分離された最尤推定（ＭＬＥ：maximum- likelihood estimation）を示す、例示的なテーブル１２００を示す。図示のように、ＰＳＳサンプルが、雑音ｗと、タイミングオフセットτと、周波数オフセットνとともに受信され得る。
【００８４】
【数１】
0006772257.tif 000002
【００８５】
【数２】
0006772257.tif 000003
【００８６】
ここで、ＮおよびＮgは、それぞれ、ＯＦＤＭシンボルのサンプルサイズおよびそれのＣＰを示す。例示は、ＰＳＳシンボルの境界がタイミングオフセットτの関数であり得、タイミングオフセットτ関する所与の仮説について、γi、シンボルｉに対応するＰＳＳサンプルのサイズ１×Ｎサブベクトルも、タイミングオフセットτの関数であり得ることをさらに示す。同じく図示のように、分離されたタイミングオフセット推定のためのメトリックが、ＰＳＳサンプルの、正規化され、コヒーレント（coherent）に組み合わせられたサブベクトル（sub-vector）から形成され得、メトリックは、（たとえば、ＳＮＲに対する感度（sensitivity）を低減するために）タイミングオフセットのためのコスト関数（cost function）として働く周波数オフセットとは無関係であり、以下によって表され得る。
【００８７】
【数３】
0006772257.tif 000004
【００８８】
ここで、Ｄは、ＤＮνに比例する位相差をもつ２つのサブベクトル間のシンボル距離を表し、ｓ（ｌ）ｓ（ｌ＋Ｄ）の積は、ＤＮνに比例する位相をもつコフェージングされた項のためのコヒーレントな組合せをエンフォースするために採用される。いくつかの場合には、組合せの範囲は、複数のサブフレームにわたってスパンする（span）。いくつかの場合には、遅延したサンプルのラグサイズ（lag size）が、ＰＳＳ時間領域リソース割振り（PSS time domain resource allocation）に基づく構成可能パラメータ（configurable parameter）であり得る。例示は、タイミングオフセットの最尤推定値（ＭＬＥ）が周波数オフセットｖから分離されることを示す。したがって、タイミングオフセット推定値は、
【００８９】
【数４】
0006772257.tif 000005
【００９０】
によって取得され得る。本開示の一態様では、小数周波数のＭＬＥは、少なくとも部分的に、タイミングオフセットの分離されたＭＬＥに基づいて導出され得る。
【００９１】
[0104]  代替的に、小数周波数オフセット（fractional frequency offset）のＭＬＥは、少なくとも部分的に、図１２からのタイミングオフセットのＭＬＥに基づき得る。正規化された周波数オフセットが１．２であり得る一例では。示されているように、正規化されたキャリア周波数オフセット（ＣＦＯ：carrier frequency offset）が、小数部分と整数部分とに分割され得る。
【００９２】
【数５】
0006772257.tif 000006
【００９３】
上式に示されているように、νは、正規化されたキャリア周波数オフセット（ＣＦＯ）を表し、νFは、正規化されたＣＦＯの小数部分を表し、νIは、正規化されたＣＦＯの整数部分を表す。したがって、周波数オフセットの推定値は、２つの部分、すなわち、小数周波数オフセット推定値（１．２の正規化された周波数オフセットの０．２、すなわち、νF＝０．２）、および整数周波数オフセット推定値（１．２の正規化された周波数オフセットの１、すなわち、νI＝１）に分離され得る。
【００９４】
[0105]  示されているように、ＰＳＳシンボルペア（symbol pair）｛γ2，γ3｝および｛γ4，γ5｝の第２のシンボルのサンプルは、それらの先行要素とは、ＣＦＯの小数部分に比例する一定の位相シフトだけ異なる。したがって、
【００９５】
【数６】
0006772257.tif 000007
【００９６】
【数７】
0006772257.tif 000008
【００９７】
【数８】
0006772257.tif 000009
【００９８】
一実施形態では、シンボルγ3のサンプルは、γ2のサンプルとは、ＣＦＯの小数部分に比例する一定の位相シフトだけ異なる（ｊ２πνFはνFのみに比例する一定の位相回転（constant phase rotation）を表す）。いくつかの場合には、異なるＰＳＳシンボルについて、
【００９９】
【数９】
0006772257.tif 000010
【０１００】
は、より滑らかな推定値を取得するために平均化され得る。
【０１０１】
[0106]  本開示の一態様では、正規化されたＣＦＯの整数部分νIは、νIがパイロットの元のロケーションからの周波数領域におけるＰＳＳパイロット中のシフトにつながるので、周波数領域における受信および送信されたＰＳＳパイロットの相互相関によって推定され得る。
【０１０２】
[0107]  図１３および図１３Ａのプロット１３０２および１３０４に示されているように、送信されたＰＳＳパイロットの元のロケーションは、周波数領域においてνIだけシフトされ得、シフトされたロケーションは、受信されるＰＳＳパイロットにおいて反映され得る。この図では、
【０１０３】
【数１０】
0006772257.tif 000011
【０１０４】
である正規化相関のピークロケーションは、正規化された整数周波数オフセット推定値に相関する。
【０１０５】
[0108]  本開示のいくつかの態様では、離散フーリエ変換（ＤＦＴ）ウィンドウの境界が、ＭＬＥタイミングオフセットを用いて確立され得、小数ＣＦＯのサイドローブからの漏れが、ＣＦＯの小数オフセットの補正の後に最小限に抑えられ得、整数ＣＦＯ  ＭＬＥの信頼性が、相互相関の複数の観測値を平均化することを通して取得され得る。図１３Ａのプロット１３００Ａに示されているように、時間領域処理および周波数領域処理を通してインバンドＮＢ−ＩｏＴ  ＰＳＳのためのタイミングおよび周波数捕捉の実装形態。
【０１０６】
[0109]  本開示の一態様では、ＮＢ−ＩｏＴ  ＳＳＳは、Ｍ個のＯＦＤＭシンボルを用いて設計され得、ここで、Ｍは、（たとえば、６よりも大きいかまたはそれに等しい）構成可能な整数であり得、Ｍ個のＳＳＳシンボルは局所および／または分散リソース要素にマッピングされ得る。本開示の別の態様では、ＢＮ−ＩｏＴ  ＳＳＳのためのサブキャリア間隔は１５ＫＨｚであり得、帯域幅は１８０ＫＨｚであり得る。いくつかの場合には、ＳＳＳシーケンス設計は、ｍ番目のＳＳＳシンボルのためのルートｕ（ｍ）をもつ長さＫのＺａｄｏｆｆ−Ｃｈｕシーケンスによって生成され得、ここで、ルートｕ（ｍ）∈｛１，２，．．．，Ｋ｝およびｇｃｄ（ｕ（ｍ），Ｋ）＝１であり、コンピュータ生成シーケンス（ＣＧＳ）または修正されたＺａｄｏｆｆ−Ｃｈｕシーケンスは、ＳＳＳシーケンスのために使用され得る。また、本開示の別の態様では、短縮されたＬＴＥ  ＳＳＳシーケンスが、ＮＢ−ＩｏＴ  ＳＳＳシーケンスのために使用され得る。本開示のいくつかの態様では、セルＩＤマッピングが、１０進数からＭ要素アレイへの１対１のマッピングによって達成され得る。図示のように、ルートの数はＮＢ−ＩｏＴ  ＳＳＳシンボルロケーション（symbol location）のための潜在的候補の数と等価であり得、ＮＢ−ＩｏＴ  ＳＳＳは、セルＩＤ、サブフレームＩＤ、および他のシステム情報のための１３ビット以上の情報を搬送することができる。
【０１０７】
[0110]  図１４は、本開示のいくつかの態様による、タイミングおよび周波数同期のためのＰＳＳ／ＳＳＳ処理のための例示的なブロック図１４００を示す。図示のように、ＰＳＳの時間領域サンプルを取った後に、（たとえば、位相区別（phase differentiation）による）タイミングオフセット検出、シンボル境界整合（symbol boundary alignment）および小数ＣＦＯ補正のために（たとえば、ピーク探索を正規化および実行することを介して）相関演算が実行され得る。この結果は（たとえば、周波数領域相関による）整数ＣＦＯ補正を実行するために使用され、対応する出力はＳＳＳ処理のために使用され得る。
【０１０８】
[0111]  図１５は、本開示の態様による、ＳＳＳ波形を生成するための例示的なブロック図１５００を示す。図示のように、ＮＢ−ＩｏＴ  ＳＳＳ波形生成プロセスは、（たとえば、適用されるコードカバーがないことがあるという点で）ＮＢ−ＩｏＴ  ＰＳＳ波形生成プロセスとは異なり得る。
【０１０９】
[0112]  図示のように、ＳＳＳシーケンスが０でパディングされ、その後に、ＩＦＦＴ、並直列変換が続き、その後に、サイクリックプレフィックス（ＣＰ）挿入が続き得る。本例では、レガシーＬＴＥと完全に整合された単一の境界ＮＢ−ＩｏＴを示すために、１２８ＩＦＦＴサイズが選定されており、サンプリング周波数（Ｆｓ）は１．９２ＭＨｚにおいて設定され得（他の事例では変動し得）、サブキャリア間隔は１５ＫＨｚにおいて設定され得る（他の事例では変動し得る）。ＮＢ−ＩｏＴとレガシーＬＴＥとの間の境界整合（boundary alignment）は、整合がなければ発生し得る干渉を防ぐ。
【０１１０】
[0113]  本例は、ＳＳＳシーケンスがデジタルアナログ変換器（ＤＡＣ）を通してアナログ信号に変換され得、信号がフィルタ処理され、送信（ＴＸ）されることをも示す。本開示のいくつかの態様では、ＳＳＳシーケンスは、本出願において言及された技法によって生成され得、ＳＳＳシンボルは、レガシーＬＴＥ割振りごとにリソース要素（ＲＥ）に直交するＲＥを占有することができる。
【０１１１】
[0114]  図１６は、長さ１２のコンピュータ生成シーケンス（ＣＧＳ）に対応するＰＳＳシーケンスコンスタレーション１６００の図例を示す。「ベースコード」のコンスタレーションは、２位相シフトキーイング（ＢＰＳＫ）、または４位相シフトキーイング（ＱＰＳＫ）、または小さいアルファベットサイズと比較的大きいユークリッド距離とをもつパンクチャされたＭＰＳＫ変調であり得る。ベースコードシーケンスは、整数周波数オフセットの信頼できる検出を可能にする、周波数領域における好適な自己相関特性を所有し得る。たとえば、ＰＳＳ「ベースコード」は、コンピュータ生成シーケンス（ＣＧＳ）、修正されたＺａｄｏｆｆ−Ｃｈｕシーケンス、パンクチャされたＺａｄｏｆｆ−Ｃｈｕシーケンス、ｍシーケンス、直交ウォルシュコード、ＰＮシーケンスまたはバーカーコードを使用し得る。ＣＧＳは、時間領域において、長さＫのＺａｄｏｆｆ−Ｃｈｕ（ＺＣ）シーケンスと同様に好適な自己相関特性を有し得、拡大されたユークリッド距離をもつ低減されたサイズのアルファベットを使用して構成され得る。本開示の一態様では、Ｋ＝１２であるとき、ＣＧＳはＱＰＳＫである。
【０１１２】
[0115]  図１６Ａは、長さ１２の修正されたＺａｄｏｆｆ−Ｃｈｕ（ＺＣ）シーケンスに対応するＰＳＳシーケンスコンスタレーション１６００Ａの図例を示す。ＺＣシーケンスは、時間領域において、ＣＧＳと同様に好適な自己相関特性を有し得る。修正されたＺＣシーケンスは、最小数のアルファベットをもつチャープ様ポリフェーズシーケンス（chirp-like polyphase sequence）のセットであり得る。本開示の一態様では、Ｋ＝１２であるとき、修正されたＺＣシーケンスは６−ＰＳＫの６つのコンスタレーションポイントの中から５つのみを使用し得、コンスタレーションは、６−ＰＳＫコンスタレーションをパンクチャすることによって生成され得る。図１７のプロット１７００は、タイミングオフセット推定値に対するカバーコード最適化の影響の一例を示す。本例は、ＰＳＳシーケンス持続時間が１１個のシンボルに等しいとき、バイナリカバーコードパターンの選定に対するタイミングオフセット推定量の依存をさらに示す。
【０１１３】
[0116]  図１７Ａのプロット１７００Ａは、ＰＳＳシーケンス持続時間が４つのシンボルに等しいとき、バイナリカバーコードパターンの選定に対するタイミングオフセット推定器の依存の一例を示す。
【０１１４】
[0117]  図１８は、ＳＳＳシーケンスからセルＩＤ、サブフレーム番号、および他のシステム情報へのマッピングの一例を示す。本例は、各ＳＳＳシーケンスがＭ個のＳＳＳシンボルのセットを備え得、ｋ番目のＳＳＳシーケンスのｍ番目のシンボルがルートμ（ｋ，ｍ）Ｚａｄｏｆｆ−Ｃｈｕシーケンスによって構成され得ることを示す。本開示の一態様では、ｋ番目のＳＳＳシーケンスは、それのルート構成（roots arrangement）によって一意に識別され得る。
【０１１５】
[0118]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの組合せによって表され得る。
【０１１６】
[0119]  さらに、本明細書の開示に関して説明された様々な例示的な論理ブロック、モジュール、回路、およびアルゴリズムステップは、電子ハードウェア、ソフトウェア／ファームウェア、またはそれらの組合せとして実装され得ることを、当業者は諒解されよう。ハードウェアとソフトウェア／ファームウェアのこの互換性を明確に示すために、様々な例示的な構成要素、ブロック、モジュール、回路、およびステップが、概してそれらの機能に関して上記で説明された。そのような機能がハードウェアとして実装されるか、ソフトウェア／ファームウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【０１１７】
[0120]  本明細書の開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【０１１８】
[0121]  本明細書の開示に関して説明された方法またはアルゴリズムのステップは、直接ハードウェアで実施されるか、プロセッサによって実行されるソフトウェア／ファームウェアモジュールで実施されるか、またはそれらの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、相変化メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中にディスクリート構成要素として常駐し得る。
【０１１９】
[0122]  １つまたは複数の例示的な設計では、説明された機能は、ハードウェア、ソフトウェア／ファームウェア、またはそれらの組合せで実装され得る。ソフトウェア／ファームウェアで実装される場合、機能は、１つまたは複数の命令またはコードとしてコンピュータ可読媒体（computer readable medium）上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ／ＤＶＤまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１２０】
[0123]  特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１２１】
[0124]  本開示についての以上の説明は、いかなる当業者も本開示を作成または使用することができるように与えたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に本願の出願当初の特許請求の範囲に記載された発明を付記する。
［Ｃ１］
基地局（ＢＳ）によるワイヤレス通信のための方法であって、
１つまたは複数のサブフレーム内の第１の数のシンボルにわたる第１のコードシーケンスと前記第１のコードシーケンスに適用されるカバーコードとを利用して１次同期信号（ＰＳＳ）を生成することと、
１つまたは複数のサブフレーム内の第２の数のシンボルにわたる第２のコードシーケンスに基づいて２次同期信号（ＳＳＳ）を生成することと、
より広いシステム帯域幅の１つまたは複数の狭帯域領域上で通信する第１のタイプのユーザ機器（ＵＥ）に前記ＰＳＳと前記ＳＳＳとを送信することと
を備える、方法。
［Ｃ２］
ＰＳＳとＳＳＳとが、重複しないリソースを使用して送信される、Ｃ１に記載の方法。
［Ｃ３］
ＰＳＳとＳＳＳとが別個のサブフレーム中で送信される、Ｃ２に記載の方法。
［Ｃ４］
前記第１の数のシンボルが、前記より広いシステム帯域幅上で通信する第２のタイプのＵＥと通信するためにリソース要素が使用するのと同じサブキャリア間隔を有するリソース要素にマッピングされる、Ｃ１に記載の方法。
［Ｃ５］
前記ＰＳＳと前記ＳＳＳとが、前記第２のタイプのＵＥと通信するために使用されないリソース要素を使用して送信される、Ｃ４に記載の方法。
［Ｃ６］
前記第１の数のシンボルが第１のサブフレーム内にあり、
前記第２の数のシンボルが第２のサブフレーム内にある、
Ｃ１に記載の方法。
［Ｃ７］
前記ＰＳＳと前記ＳＳＳとを送信することが、前記第１のサブフレームと前記第２のサブフレームとのうちの少なくとも１つ内でＰＳＳシーケンスとＳＳＳシーケンスとを時間多重化することを備え、ここにおいて、前記ＰＳＳと前記ＳＳＳとが、少なくとも１つのサブフレームを用いて異なる直交周波数分割多重（ＯＦＤＭ）シンボルロケーションを占有する、Ｃ６に記載の方法。
［Ｃ８］
前記第１のコードシーケンスが、コンピュータ生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、Ｃ１に記載の方法。
［Ｃ９］
前記カバーコードが、コンピュータ生成バイナリシーケンス、ウォルシュコード、またはバーカーコードのうちの少なくとも１つを備える、Ｃ１に記載の方法。
［Ｃ１０］
前記第２のコードシーケンスが、Ｚａｄｏｆｆ−Ｃｈｕシーケンス、短縮されたＺａｄｏｆｆ−Ｃｈｕシーケンス、またはコンピュータ生成ポリフェーズシーケンスを備える、Ｃ１に記載の方法。
［Ｃ１１］
前記ＳＳＳが、セル識別情報（セルＩＤ）と追加のシステム情報とを伝達するために使用される、Ｃ１に記載の方法。
［Ｃ１２］
前記追加のシステム情報が少なくともサブフレームＩＤを備える、Ｃ８に記載の方法。
［Ｃ１３］
第１のタイプのユーザ機器（ＵＥ）によるワイヤレス通信のための方法であって、
より広いシステム帯域幅の１つまたは複数の狭帯域領域内で、１つまたは複数のサブフレーム内の第１の数のシンボルにわたる第１のコードシーケンスと前記第１のコードシーケンスに適用されるカバーコードとを利用して生成された１次同期信号（ＰＳＳ）を検出することと、
前記ＰＳＳに基づいて最尤時間オフセット推定を実行することと、ここにおいて、時間オフセットが周波数オフセットと無相関である、
前記ＰＳＳに基づいて初期時間同期と周波数同期とを実行することと、
前記１つまたは複数の狭帯域領域内で、前記１つまたは複数のサブフレーム内の第２の数のシンボルにわたる第２のコードシーケンスに基づいて生成された２次同期信号（ＳＳＳ）を検出することと、
前記初期時間同期と前記周波数同期とを改良するために、前記ＳＳＳに基づいて高精度時間同期または高精度周波数同期のうちの少なくとも１つを実行することと
を備える、方法。
［Ｃ１４］
ＰＳＳとＳＳＳとが、重複しないリソース中で検出される、Ｃ１３に記載の方法。
［Ｃ１５］
ＰＳＳとＳＳＳとが別個のサブフレーム中で検出される、Ｃ１４に記載の方法。
［Ｃ１６］
前記周波数同期を実行することが、
時間同期されたＰＳＳの時間領域における自己相関に基づいて、または複数の仮説検定および周波数ビニングに基づいて、前記ＰＳＳから、小数周波数オフセット補正を実行することと、
前記ＰＳＳと受信された信号のローカルレプリカ（local replica）との間の周波数領域における相互相関に基づいて、前記ＰＳＳから、整数周波数オフセット補正を実行することと
を備える、Ｃ１３に記載の方法。
［Ｃ１７］
前記高精度タイミング同期を実行することが、前記ＳＳＳ上で時間領域における相互相関を実行することを備える、Ｃ１３に記載の方法。
［Ｃ１８］
前記第１の数のシンボルが、前記より広いシステム帯域幅上で通信する第２のタイプのＵＥと通信するために使用されるリソース要素と同じサブキャリア間隔を有するリソース要素にマッピングされる、Ｃ１３に記載の方法。
［Ｃ１９］
前記ＰＳＳと前記ＳＳＳとが、前記第２のタイプのＵＥと通信するために使用されないリソース要素を使用して送信される、Ｃ１８に記載の方法。
［Ｃ２０］
前記第１の数のシンボルが第１のサブフレーム内にあり、
前記第２の数のシンボルが第２のサブフレーム内にある、
Ｃ１３に記載の方法。
［Ｃ２１］
前記第１のコードシーケンスが、生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、Ｃ１３に記載の方法。
［Ｃ２２］
前記カバーコードが、ウォルシュコード、バーカーコード、またはコンピュータ生成バイナリシーケンスのうちの少なくとも１つを備える、Ｃ１３に記載の方法。
［Ｃ２３］
前記第２のコードシーケンスが、Ｚａｄｏｆｆ−Ｃｈｕシーケンス、コンピュータ生成ポリフェーズシーケンス、または短縮されたＺａｄｏｆｆ−Ｃｈｕシーケンスを備える、Ｃ１３に記載の方法。
［Ｃ２４］
前記ＳＳＳから、セル識別情報（セルＩＤ）と追加のシステム情報とを決定することをさらに備える、Ｃ１３に記載の方法。
［Ｃ２５］
前記追加のシステム情報が少なくともサブフレームＩＤを備える、Ｃ２４に記載の方法。
［Ｃ２６］
前記高精度時間同期を実行することは、
前記カバーコードのパターンに従ってすべてのコフェージングされたシンボルペアをコヒーレントに組み合わせることによって最尤（ＭＬ）推定に基づいてタイミングオフセット補正を実行することと、ここにおいて、前記組み合わせることの範囲が、前記１つまたは複数のサブフレームにわたってスパンする、
信号対雑音比（ＳＮＲ）レベルに対する感度を低減するために、前記ＰＳＳシーケンスの電力によってコスト関数を正規化することと
を備える、Ｃ１３に記載の方法。
［Ｃ２７］
前記コフェージングされたシンボルペアを前記組み合わせることは、
前記ＰＳＳの遅延したサンプル間の自己相関を実行すること、ここにおいて、前記遅延したサンプルのラグサイズが、ＰＳＳ時間領域リソース割振りに基づく構成可能パラメータである、
を備える、Ｃ２６に記載の方法。
［Ｃ２８］
前記カバーコードのパターンが、前記タイミングオフセットの前記ＭＬ推定を所望の形式に整形するように選択される、Ｃ２６に記載の方法。
［Ｃ２９］
１つまたは複数のサブフレーム内の第１の数のシンボルにわたる第１のコードシーケンスと前記第１のコードシーケンスに適用されるカバーコードとを利用して１次同期信号（ＰＳＳ）を生成することと、１つまたは複数のサブフレーム内の第２の数のシンボルにわたる第２のコードシーケンスに基づいて２次同期信号（ＳＳＳ）を生成することとを行うように構成された少なくとも１つのプロセッサと、
より広いシステム帯域幅の１つまたは複数の狭帯域領域上で通信する第１のタイプのユーザ機器（ＵＥ）に前記ＰＳＳと前記ＳＳＳとを送信するように構成された送信機と
を備える、ワイヤレス通信のための装置。
［Ｃ３０］
ＰＳＳとＳＳＳとが、重複しないリソースを使用して送信される、Ｃ２９に記載の装置。
［Ｃ３１］
ＰＳＳとＳＳＳとが別個のサブフレーム中で送信される、Ｃ３０に記載の装置。
［Ｃ３２］
前記第１の数のシンボルが、前記より広いシステム帯域幅上で通信する第２のタイプのＵＥと通信するためにリソース要素が使用するのと同じサブキャリア間隔を有するリソース要素にマッピングされる、Ｃ２９に記載の装置。
［Ｃ３３］
前記ＰＳＳと前記ＳＳＳとが、前記第２のタイプのＵＥと通信するために使用されないリソース要素を使用して送信される、Ｃ３２に記載の装置。
［Ｃ３４］
前記第１の数のシンボルが第１のサブフレーム内にあり、
前記第２の数のシンボルが第２のサブフレーム内にある、
Ｃ２９に記載の装置。
［Ｃ３５］
前記ＰＳＳと前記ＳＳＳとを送信することが、第１のサブフレームと第２のサブフレームとのうちの少なくとも１つ内でＰＳＳシーケンスとＳＳＳシーケンスとを時間多重化することを備え、ここにおいて、前記ＰＳＳと前記ＳＳＳとが、少なくとも１つのサブフレームを用いて異なる直交周波数分割多重（ＯＦＤＭ）シンボルロケーションを占有する、Ｃ３４に記載の装置。
［Ｃ３６］
前記第１のコードシーケンスが、コンピュータ生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、Ｃ２９に記載の装置。
［Ｃ３７］
前記カバーコードが、コンピュータ生成バイナリシーケンス、ウォルシュコード、またはバーカーコードのうちの少なくとも１つを備える、Ｃ２９に記載の装置。
［Ｃ３８］
前記第２のコードシーケンスが、Ｚａｄｏｆｆ−Ｃｈｕシーケンス、短縮されたＺａｄｏｆｆ−Ｃｈｕシーケンス、またはコンピュータ生成ポリフェーズシーケンスを備える、Ｃ２９に記載の装置。
［Ｃ３９］
前記ＳＳＳが、セル識別情報（セルＩＤ）と追加のシステム情報とを伝達するために使用される、Ｃ２９に記載の装置。
［Ｃ４０］
前記追加のシステム情報が少なくともサブフレームＩＤを備える、Ｃ３９に記載の装置。
［Ｃ４１］
より広いシステム帯域幅の１つまたは複数の狭帯域領域内で、１つまたは複数のサブフレーム内の第１の数のシンボルにわたる第１のコードシーケンスと前記第１のコードシーケンスに適用されるカバーコードとを利用して生成された１次同期信号（ＰＳＳ）を検出することと、前記ＰＳＳに基づいて最尤時間オフセット推定を実行することと、ここにおいて、時間オフセットが周波数オフセットと無相関である、前記ＰＳＳに基づいて初期時間同期と周波数同期とを実行することと、前記１つまたは複数の狭帯域領域内で、前記１つまたは複数のサブフレーム内の第２の数のシンボルにわたる第２のコードシーケンスに基づいて生成された２次同期信号（ＳＳＳ）を検出することと、前記初期時間同期と前記周波数同期とを改良するために、前記ＳＳＳに基づいて高精度時間同期または高精度周波数同期のうちの少なくとも１つを実行することとを行うように構成された少なくともオンプロセッサと、
前記少なくとも１つのプロセッサと結合されたメモリと
を備える、ワイヤレス通信のための装置。
［Ｃ４２］
ＰＳＳとＳＳＳとが、重複しないリソース中で検出される、Ｃ４１に記載の装置。
［Ｃ４３］
ＰＳＳとＳＳＳとが別個のサブフレーム中で検出される、Ｃ４２に記載の装置。
［Ｃ４４］
前記少なくとも１つのプロセッサが、
時間同期されたＰＳＳの時間領域における自己相関に基づいて、または複数の仮説検定および周波数ビニングに基づいて、前記ＰＳＳから、小数周波数オフセット補正を実行することと、
前記ＰＳＳと受信された信号のローカルレプリカとの間の周波数領域における相互相関に基づいて、前記ＰＳＳから、整数周波数オフセット補正を実行することと
によって前記周波数同期を実行するように構成された、Ｃ４１に記載の装置。
［Ｃ４５］
前記少なくとも１つのプロセッサが、前記ＳＳＳ上で時間領域における相互相関を実行することによって前記高精度タイミング同期を実行するように構成された、Ｃ４４に記載の装置。
［Ｃ４６］
前記第１の数のシンボルが、前記より広いシステム帯域幅上で通信する第２のタイプのＵＥと通信するために使用されるリソース要素と同じサブキャリア間隔を有するリソース要素にマッピングされる、Ｃ４１に記載の装置。
［Ｃ４７］
前記ＰＳＳと前記ＳＳＳとが、前記第２のタイプのＵＥと通信するために使用されないリソース要素を使用して送信される、Ｃ４６に記載の装置。
［Ｃ４８］
前記第１の数のシンボルが第１のサブフレーム内にあり、
前記第２の数のシンボルが第２のサブフレーム内にある、
Ｃ４１に記載の装置。
［Ｃ４９］
前記第１のコードシーケンスが、生成シーケンス（ＣＧＳ）、低減されたアルファベットを用いた修正されたＺａｄｏｆｆ−Ｃｈｕシーケンス、ウォルシュコード、バーカーコード、または短縮されたＺａｄｏｆｆ−Ｃｈｕシーケンスのうちの少なくとも１つを使用して生成される、Ｃ４１に記載の装置。
［Ｃ５０］
前記カバーコードが、ウォルシュコード、バーカーコード、またはコンピュータ生成バイナリシーケンスのうちの少なくとも１つを備える、Ｃ４１に記載の装置。
［Ｃ５１］
前記第２のコードシーケンスが、Ｚａｄｏｆｆ−Ｃｈｕシーケンス、コンピュータ生成ポリフェーズシーケンス、または短縮されたＺａｄｏｆｆ−Ｃｈｕシーケンスを備える、Ｃ４１に記載の装置。
［Ｃ５２］
前記少なくとも１つのプロセッサが、前記ＳＳＳから、セル識別情報（セルＩＤ）と追加のシステム情報とを決定することにさらに構成された、Ｃ４１に記載の装置。
［Ｃ５３］
前記追加のシステム情報が少なくともサブフレームＩＤを備える、Ｃ５２に記載の装置。
［Ｃ５４］
前記少なくとも１つのプロセッサは、
前記カバーコードのパターンに従ってすべてのコフェージングされたシンボルペアをコヒーレントに組み合わせることによって最尤（ＭＬ）推定に基づいてタイミングオフセット補正を実行することと、ここにおいて、前記組み合わせることの範囲が、前記１つまたは複数のサブフレームにわたってスパンする、
信号対雑音比（ＳＮＲ）レベルに対する感度を低減するために、前記ＰＳＳシーケンスの電力によってコスト関数を正規化することと
によって前記高精度時間同期を実行するように構成された、Ｃ５１に記載の装置。
［Ｃ５５］
前記コフェージングされたシンボルペアを前記組み合わせることは、
前記ＰＳＳの遅延したサンプル間の自己相関を実行すること、ここにおいて、前記遅延したサンプルのラグサイズが、ＰＳＳ時間領域リソース割振りに基づく構成可能パラメータである、
を備える、Ｃ５４に記載の装置。
［Ｃ５６］
前記カバーコードのパターンが、前記タイミングオフセットの前記ＭＬ推定を所望の形式に整形するように選択される、Ｃ５４に記載の装置。
［Ｃ５７］
１つまたは複数のサブフレーム内の第１の数のシンボルにわたる第１のコードシーケンスと前記第１のコードシーケンスに適用されるカバーコードとを利用して１次同期信号（ＰＳＳ）を生成することと、
１つまたは複数のサブフレーム内の第２の数のシンボルにわたる第２のコードシーケンスに基づいて２次同期信号（ＳＳＳ）を生成することと、
より広いシステム帯域幅の１つまたは複数の狭帯域領域上で通信する第１のタイプのユーザ機器（ＵＥ）に前記ＰＳＳと前記ＳＳＳとを送信することと
を行うための命令を記憶したコンピュータ可読媒体。
［Ｃ５８］
より広いシステム帯域幅の１つまたは複数の狭帯域領域内で、１つまたは複数のサブフレーム内の第１の数のシンボルにわたる第１のコードシーケンスと前記第１のコードシーケンスに適用されるカバーコードとを利用して生成された１次同期信号（ＰＳＳ）を検出することと、
前記ＰＳＳに基づいて最尤時間オフセット推定を実行することと、ここにおいて、時間オフセットが周波数オフセットと無相関である、
前記ＰＳＳに基づいて初期時間同期と周波数同期とを実行することと、
前記１つまたは複数の狭帯域領域内で、前記１つまたは複数のサブフレーム内の第２の数のシンボルにわたる第２のコードシーケンスに基づいて生成された２次同期信号（ＳＳＳ）を検出することと、
前記初期時間同期と前記周波数同期とを改良するために、前記ＳＳＳに基づいて高精度時間同期または高精度周波数同期のうちの少なくとも１つを実行することと
を行うための命令を記憶したコンピュータ可読媒体。
【図１】
0006772257.tif 000012
【図２】
0006772257.tif 000013
【図３】
0006772257.tif 000014
【図４】
0006772257.tif 000015
【図５】
0006772257.tif 000016
【図６】
0006772257.tif 000017
【図７】
0006772257.tif 000018
【図８】
0006772257.tif 000019
【図９】
0006772257.tif 000020
【図１０】
0006772257.tif 000021
【図１１】
0006772257.tif 000022
【図１２】
0006772257.tif 000023
【図１３】
0006772257.tif 000024
【図１３Ａ】
0006772257.tif 000025
【図１４】
0006772257.tif 000026
【図１５】
0006772257.tif 000027
【図１６】
0006772257.tif 000028
【図１６Ａ】
0006772257.tif 000029
【図１７】
0006772257.tif 000030
【図１７Ａ】
0006772257.tif 000031
【図１８】
0006772257.tif 000032